【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
エアを供給する第１および第２のエア源と、前記第１および第２のエア源から供給されるエアによって所定の動作を行う少なくとも１つのエア装置との間に介装され、エアの接断を行うロータリーバルブであって、
シリンダ内を回転駆動される弁体と、
前記弁体を回転自在に支持する本体と、
前記弁体の周面に形成され、前記第１のエア源に接続される切欠きと、
前記弁体の内部に軸線方向に形成され、前記第２のエア源に接続される第１の中空部と
を備えたことを特徴とするロータリーバルブ。
【請求項２】
請求項１記載のロータリーバルブにおいて、
前記第１のエア源を吸気エア源とし、この吸気エア源によりエアが吸気される吸着装置と、
前記第２のエア源を排気エア源とし、この排気エア源からのエアが供給される吐出装置と、
前記本体に設けられ、一端側が前記吸気エア源に接続されかつ他端側が前記シリンダの内周面に開口する吸気エア通路と、
前記本体に設けられ、一端側が前記吸着装置に接続されかつ他端側が前記シリンダの内周面に開口し、前記切欠きを介して前記吸気エア通路に接続される吸着エア通路と、
前記本体に設けられ、一端側が吐出装置に接続されかつ他端側が前記シリンダの内周面に開口する吐出エア通路と、
前記弁体に設けられ、前記第１の中空部と前記吐出エア通路との間を接続する第１の連通孔とを備え、
前記吐出装置は、前記吐出エア通路、第１の連通孔および第１の中空部を介して前記排気エア源に接続されたことを特徴とするロータリーバルブ。
【請求項３】
請求項２記載のロータリーバルブにおいて、
前記弁体に形成され、前記第１の中空部と前記吸着エア通路との間を接続する第２の連通孔を備え、
前記吸着装置は、前記吸着エア通路、第２の連通孔および第１の中空部を介して前記排気エア源に接続されていることを特徴とするロータリーバルブ。
【請求項４】
請求項１記載のロータリーバルブにおいて、
前記第１のエア源を排気エア源とし、前記第２のエア源を吸引エア源とし、
この吸引エア源によりエアが吸気される吸着装置と、
前記本体に設けられ、一端側が前記排気エア源に接続されかつ他端側が前記シリンダの内周面に開口する排気エア通路と、
前記本体に設けられ、一端側が前記吸着装置に接続されかつ他端側が前記シリンダの内周面に開口し、前記切欠きを介して前記排気エア通路に接続される吸着エア通路と、
前記弁体に設けられ、前記第１の中空部と前記吸着エア通路との間を接続する第１の連通孔とを備え、
前記吸着装置は、前記吸着エア通路、前記切欠きおよび前記吐出エア通路を介して前記排気エア源に接続されるとともに、前記吸着エア通路、第１の連通孔および第１の中空部を介して前記吸引エア源に接続されていることを特徴とするロータリーバルブ。
【請求項５】
請求項４記載のロータリーバルブにおいて、
排気エア源からのエアが供給される吐出装置と、
前記本体に設けられ、一端側が前記吐出装置に接続されかつ他端側が前記シリンダの内周面に開口した吐出エア通路と、
前記弁体の内部に軸線方向に形成され、前記排気エア源に接続される第２の中空部と
前記弁体に設けられ、前記第２の中空部と前記吐出エア通路との間を接続する第２の連通孔とを備え、
前記吐出装置は、前記吐出エア通路、第２の連通孔および第２の中空部を介して前記排気エア源に接続されていることを特徴とするロータリーバルブ。
【手続補正２】
【補正対象書類名】明細書
【補正対象項目名】００１２
【補正方法】変更
【補正の内容】
【００１２】
紙を搬送中の第２の吸口がフィーダボードの上方に位置するようになると、弁体６の回転に応じて切欠き１３ｂが通気孔１２ｂの位置から外れ、吸気エア通路９ｂと吸着エア通路１０ｂとの連通が閉ざされる。これにより、吸気エアの吸気が停止されて、第２の吸口による紙の吸着動作が停止する。このとき、切欠き３２ｂが、逆吹き用エア通路３１に対向し、逆吹き用エア通路３１と吸着エア通路１０ｂとが切欠き３２ｂを介して連通する。これにより、排気ポンプから排気された排気エアがエア通路３１，１０ｂを通って第２の吸口から吹き出されるため、吸着動作を終了した第２の吸口から紙が放れてフィーダボード上に給紙される。
【手続補正３】
【補正対象書類名】明細書
【補正対象項目名】００２８
【補正方法】変更
【補正の内容】
【００２８】
次に、このように構成されたロータリーバルブによる吸気および排気の切替え動作を図３を用いて説明する。
印刷機の回転に連動して弁体１０６が回転すると、まず、弁体１０６の連通孔１１５ｄが、スリーブ１０４の通気孔１１２ｄに対向し、排気エア通路としての中空部１１４および吐出エア通路１１０ｄが連通孔１１５ｄおよび通気孔１１２ｄを介して連通する。これにより、排気ポンプ１３６からの排気エアが中空部１１４およびエア通路１１０ｄを通ってノズル１３７ｂから吐出され、紙のさばきが行われる（ステップＳ１１）。
続いて、弁体１０６が回転すると、切欠き１１３ａが通気孔１１２ａ，１１１ａに対向し、切欠き１１３ａを介して吸気エア通路１０９ａと吸着エア通路１１０ａとが連通する。これにより、図２Ａに示すように、吸気ポンプ１３４によって吸気される吸気エアＡが、連通されたエア通路１０９ａ，１１０ａを通り、第１の吸口である吸着ヘッド１３５ａで紙の吸着が行われる（ステップＳ１２）。
【手続補正４】
【補正対象書類名】明細書
【補正対象項目名】００３７
【補正方法】変更
【補正の内容】
【００３７】
次に、このように構成されたロータリーバルブによる吸気と排気の切替え動作を図６を用いて説明する。
印刷機の回転に連動して弁体１０６が回転すると、まず、弁体１０６の連通孔２１５ｄが、スリーブ１０４の通気孔１１２ｄに対向し、排気エア通路としての第２の中空部１１４ｂおよび吐出エア通路１１０ｄが連通孔２１５ｄおよび通気孔１１２ｄを介して連通する。これにより、排気ポンプ１３６からの排気エアが第２の中空部１１４ｂおよび吐出エア通路１１０ｄを通ってノズル１３７ｂに供給され、紙のさばきが行われる（ステップＳ２１）。
続いて、弁体１０６が回転すると、弁体１０６の連通孔２１５ａが通気孔１１２ａに対向し、吸気エア通路としての第１の中空部１１４ａおよび吸着エア通路１１０ａが連通孔２１５ａおよび通気孔１１２ａを介して連通する。これにより、吸気ポンプ１３４によって吸気される吸気エアが、吸着エア通路１１０ａおよび第１の中空部１１４ａを通り、第１の吸口である吸着ヘッド１３５ａで紙の吸着が行われる（ステップＳ２２）。
【手続補正５】
【補正対象書類名】明細書
【補正対象項目名】００３８
【補正方法】変更
【補正の内容】
【００３８】
続いて、弁体１０６が回転すると、連通孔２１５ｃがスリーブ１０４の通気孔１１２ｃに対向し、図５Ｂに示すように、排気エア通路としての第２の中空部１１４ｂおよび吐出エア通路１１０ｃが連通孔２１５ｃおよび通気孔１１２ｃを介して連通する。これにより、排気ポンプ１３６からの排気エアＢが第２の中空部１１４ｂおよび吸着エア通路１１０ｃを通って吹足であるノズル１３７ａに供給され、最上層の紙と２枚目の紙との間にエアが吹きつけられて２枚の紙が分離される（ステップＳ２３）。
続いて、弁体１０６が回転すると、弁体１０６の連通孔２１５ｂが通気孔１１２ｂに対向し、第１の中空部１１４ａおよび吸着エア通路１１０ａが連通孔２１５ｂおよび通気孔１１２ｂを介して連通する。これにより、吸気ポンプ１３４によって吸気される吸気エアが、第１の中空部１１４ａおよび吸着エア通路１１０ａを通り、第２の吸口である吸着ヘッド１３５ｂで紙の吸着が行われる（ステップＳ２４）。
【手続補正６】
【補正対象書類名】明細書
【補正対象項目名】００４１
【補正方法】変更
【補正の内容】
【００４１】
本実施の形態によれば、吸着動作時に、第１の中空部１１４ａおよび連通孔２１５ａ、２１５ｂを介して吸気ポンプ１３４によって吸着ヘッド１３５ａ、１３５ｂからエアを吸気するようにしたので、充分な圧力のエアによって吸着動作を短時間で確実に行うことができる。また、吸着動作時において、第１の中空部１１４ａ、連通孔２１５ａ，２１５ｂ、通気孔１１２ａ，１１２ｂが略一直線上に位置するので、吸着エアの圧力損失が小さくなる。さらに、弁体１０６の断面積の大きい第１の中空部１１４ａを吸気エア通路として機能させているので、弁部におけるエアの圧力損失が小さい。
【手続補正７】
【補正対象書類名】明細書
【補正対象項目名】００４４
【補正方法】変更
【補正の内容】
【００４４】
このような構成において、印刷機に連動して弁体１２３が回転すると、切欠き１２６ａが吸気エア通路１２４および吸着エア通路１２５に対向し、両エア通路１２４，１２５が切欠き１２６ａを介して連通する。これにより、エア通路１２４，１２５を通る吸気エアＡが第１の吸口である吸着ヘッドから吸気され、紙の吸着が行われる。続いて、弁体１２３が回転すると、図示を省略した他のロータリーバルブによって吸気の制御がなされ、第２の吸口である吸着ヘッドによって紙の吸着が行われる。